(57)【要約】【目的】  本発明は構成が簡易で、且つスムーズに天片と、背片と、脚片と、及び引掛片とが折り畳むことができ、収納、及び携帯性に優れた吊下体を提供することを目的とする。【構成】  トイレのドア等の上辺部を跨ぐように取り付けるべく、該上辺部に当接する天片と、該天片の両端側でドア等に沿って下方側に略直角に連設された背片と脚片と、該脚片に対してドア等より離反する方向に略直角、又は略鋭角状に設けられた引掛片とから構成された吊下体において、前記背片と、脚片と、引掛片とが天片と平行となるように回動すべく構成されてことである。【選択図】図１
2005253936.tif 000002
【特許請求の範囲】
【請求項１】
トイレのドア等の上辺部を跨ぐように取り付けるべく、該上辺部に当接する天片と、該天片の両端側でドア等に沿って下方側に略直角に連設された背片と脚片と、該脚片に対してドア等より離反する方向に略直角、又は略鋭角状に設けられた引掛片とから構成された吊下体において、前記背片と、脚片と、引掛片とが天片と平行となるように回動すべく構成されてことを特徴とする吊下体。
【請求項２】
上記背片と脚片とが、相互に近接方向に重畳させられる位置と、天片に対して略直角の角度を形成する位置との２点の位置の間で開閉可能であり、且つ引掛片が、脚片に重畳させられる位置と脚片に対して略直角、又は略鋭角を形成する位置との２点の位置の間で開閉可能に構成されている請求項１に記載の吊下体。
【発明の詳細な説明】
【技術分野】
【０００１】  本発明は、例えばトイレのドア等の上辺部に跨ぐように取り付け、引掛片にコート、カバン等の被引掛体を引っ掛けて使用する吊下体に関する。
【背景技術】
【０００２】  トイレのドア、収納棚の扉の上辺部に跨ぐように取り付ける吊下体としては、ドアの上辺部に当接する天片と、該天片の両端側で、ドアの後板に沿って下方側に略直角に連設された背片とドアの前板に沿って下方側に略直角に連設された脚片と、該脚片に対してドアの前板より離反する方向に略直角、又は略鋭角状に設けられた引掛片とから構成され、且つ天片、背片、脚片及び引掛片とを長尺板状体を折曲して一体的に形成した吊下体が存在する。【０００３】  さらに、使用目的を拡大した吊下体として以下のような構成の吊下体が考えられた。【０００４】  先ず、背片部分のみ別体とすることでドアの板厚等に応じて対応できる吊下体である。その構成は、上脚部３１（天片）の両側縁に凹溝３２を設け、前脚片３３（脚片）の下端にフック３４（引掛片）を垂設した引掛脚部３０と、頂面部３５が前記上脚部３１の凹溝３２に挿嵌可能なくの字型の金属製の調整具３６を組み合わせて成り、該調整具３６の後脚片３７（背片）の角部３８が屈曲自在である構成である（特許文献１参照。）。【０００５】  また、多様な形状の設置位置に設置可能で、使い勝手の広さを追求した吊下体である。その構成は、吊り具本体４１と、該吊り具本体４１の一端部に連結されたフック４２と、上記吊り具本体４１の他端部に連結された係止脚４３とを備え、この係止脚４３と吊り具本体４１とが両者の連結部４４において相対回動可能に連結されて、両者が相互に重畳させられる位置と、両者間に所定角度を形成する位置との２位置間で開閉可能となされている構成である（特許文献２参照。）。
【特許文献１】登録実用新案第３０１２２２２号公報
【特許文献２】特開平１１−２１６０５２号公報
【発明が解決しようとする課題】
【０００６】  しかしながら、特許文献１の吊下体は、ドアの板厚に応じて取り付ける場合にには適しているものの、上脚部（天片）と前脚片（脚片）フック（引掛片）とが一体的に形成され、また、後脚片の設けられた調整具が略くの字状であるために、持ち運び（携帯）、又は不使用時の収納においてスペースをとり不便であった。
【０００７】  また、特許文献２の吊下体は、係止脚と吊り具本体とが両者の連結部において相対回動可能に連結されて、両者が相互に重畳させられる位置と、両者間に所定角度を形成する位置との２位置間で開閉可能に構成されているために、持ち運び（携帯）用として使用することも可能でありますが、滑り止め部分の形状が小さいために、ドアの上辺部に跨ぐように取り付ける場合は、不十分であった。
【０００８】  このように、吊下体はドアの上辺部を跨ぐように取り付けるものであり、全体を折り畳むことは不可能であると考えられていた。
【０００９】  そこで、本発明は上記のような問題点を鑑みてなされたもので、その構成が簡易で、且つスムーズに天片と、背片と、脚片と、及び引掛片とが折り畳むことができ、収納、及び携帯性に優れた吊下体を提供することを目的とする。
【課題を解決するための手段】
【００１０】  そして、本発明は上記目的を達成するために、トイレのドア等の上辺部を跨ぐように取り付けるべく、該上辺部に当接する天片と、該天片の両端側でドア等に沿って下方側に略直角に連設された背片と脚片と、該脚片に対してドア等より離反する方向に略直角、又は略鋭角状に設けられた引掛片とから構成された吊下体において、前記背片と、脚片と、引掛片とが天片と平行となるように回動すべく構成されてことを特徴とする。
【００１１】  また、第２の課題解決手段は、上記背片と脚片とが、相互に近接方向に重畳させられる位置と、天片に対して略直角の角度を形成する位置との２点の位置の間で開閉可能であり、且つ引掛片が、脚片に重畳させられる位置と脚片に対して略直角、又は略鋭角を形成する位置との２点の位置の間で開閉可能に構成されている。
【００１２】  上記第１の解決手段による作用は次の通りである。本発明は、背片と、脚片とを天片に対して略直角方向になるように回動し、脚片に対してドアより離反する方向に略直角、又は略鋭角状に引掛片を回動することで、ドア等の上辺部を跨ぐような形状に吊下体を形成する。そして、吊下体をドア等の上辺部に取り付け、引掛片に荷物等を取り付けて使用する。
【００１３】  使用後は、吊下体をドア等の上辺部より取り外し、背片と、脚片とを天片と平行になるように回動し、引掛片を脚片に対して天片と平行になるように回動することで、全体をコンパクトに折り畳む。この状態でスペースをとることなく収納、又は携帯することができる。
【００１４】  また、第２の解決手段による作用は、吊下体を使用する際は、背片と脚片とを、天片に対して略直角の角度を形成する位置に開放し、引掛片を脚片に対して略直角、又は略鋭角を形成する位置に開放することで、吊下体をドア等の上辺部を跨ぐように形成する。
【００１５】  不使用時は、背片と脚片とを、天片に対して相互に近接方向に重畳し、引掛片を脚片に対して重畳させることで、吊下体を折り畳む。
【００１６】  このように、吊下体が所定の２点の位置の間で開閉可能に構成されているために、使用時における吊下体の各片の開放がスムーズであり、不使用時の吊下体の各片の折り畳みがスムーズである。
【発明の効果】
【００１７】  このように、本発明の吊下体は、吊下体の各片の折り畳みがスムーズであるために、スペースをとることなく収納することができ、又は携帯することができる。
【００１８】  また、吊下体の各片を開放することで吊下体をドア等の上辺部を跨ぐように形成することができるので、容易にドア等に取り付けることができる。
【００１９】  さらに、吊下体の背片と脚片とが所定の２点間で開放、重畳することで、さらに吊下体の使用が容易とすることができる。
【発明の実施するための最良の形態】
【００２０】  本発明の吊下体の一実施例を図面に沿って説明する。図１は本発明の吊下体の一実施例を示しドア等への取り付け状態を示す概略説明側面図であり、図２は吊下体の収納状態を示す概略側面図であり、図３は天片と背片（又は脚片）との連結体を示す概略平面図であり、図４は連結体部分の取り付け状態を示す概略正面図であり、図５は引掛片に設けられた係止片を示す概略側面図であり、図６は引掛片に設けられた係止片の他実施例を示す概略側面図であり、図７は吊下体の収納状態の他実施例を示す概略側面図であり、図８は吊下体の取り付け状態の他実施例を示を示す概略説明側面図であり、図９は天片と背片（又は脚片）との連結の他実施例を示す概略平面図であり、図１０は天片と背片（又は脚片）との連結の他実施例を示す概略平面図であり、図１１は吊下体の第１の従来例を示す概略斜視図であり、図１２は吊下体の第２の従来例を示す概略側面図である。
【００２１】  本発明の吊下体１は、ドア２０の上辺部２１の板厚Ａと略同一長さで、上辺部２１に水平状態で当接する天片２と、該天片２の一端側３でドア２０に沿って下方側に略直角に連設され、且つ天片２（板厚Ａの長さ方向）に比し短尺に形成された背片４と、天片２の他端側５でドア２０に沿って下方側に略直角で所望の長さ（実施例では天片２（板厚Ａの長さ方向）に比し長尺に形成）で連設された脚片６と、該脚片６に対してドア２０より離反する方向に略直角状に連設された引掛片７とから構成されている。
【００２２】  尚、天片２に連設された脚片６の長さは上記のように天片２に比し長尺の場合に限定されるものでなく、例えば天片２に比し短尺に形成することも可能である。また、引掛片７の脚片６に対しての角度も、略直角状に限定されるものでなく、鋭角状であってもよい。さらに、引掛片７の横幅Ｂは、脚片６の横幅と同一又は脚片６の横幅より狭幅でもよい。
【００２３】  前記背片４は、天片２に支軸３ａを介して回動自在であり、しかも天片２の支軸３ａ部分の内側一方が略Ｌ字状の係止部８が形成され、背片４の支軸３ａ部分の内側一方に形成された略Ｌ字状の係止部９と当接することにより、天片２に対する背片４の回動が略直角で停止すべく構成されている。従って、天片２に対する背片４の回動は、天片２に対し背片４が内側に重畳する位置と、天片２に対して背片４が略直角で停止する範囲となる。
【００２４】  前記脚片６と、天片２との連結部分も上記と同様に構成され、天片２に対する脚片６の回動は、天片２に対し脚片６が内側に重畳する位置と、天片２に対して脚片６が略直角で停止する範囲となる。
同様に、前記脚片６と、引掛片７との連結部分も上記と同様に構成され、脚片６に対する引掛片７の回動は、脚片６に対し引掛片７が内側に重畳する位置と、脚片６に対して引掛片７が略直角で停止する範囲となる。
【００２５】  尚、前記背片４、脚片６と、天片２との連結部分の構成は上記連結体９による構成に限定されるものでなく、例えば、天片２の一端側３と背片４とは支軸１０を介して、天片２に対して重畳させられる位置と、天片２に対して略直角の角度を形成する位置の２点間で回動すべく構成し、又天片２の他端側５を下方側に略直角状に形成し、その端部で支軸１１を介して脚片６を設け、しかも、脚片６が天片２に対して重畳（水平）させられる位置と、天片２に対して略直角の角度を形成する位置の２点間で回動すべく構成することも可能である。要は、脚片６を天片２に対して重畳（水平）する場合に、その内側に天片２に対して重畳した背片４が位置するように構成されていれば、背片４、脚片６と、天片２との連結部分の構成は特に問うものでない。
【００２６】  次に上記実施例の吊下体１を外出時にトイレ等のドアに使用する場合について説明する。
【００２７】  先ず携帯する場合は、天片２を中心に、背片４を天片２と重畳するほうに支軸３ａを介して回動し、脚片６を背片４の上に支軸３ａを介して回動して重畳し、その後引掛片７を脚片６上に支軸３ａを介して回動して重畳することで、吊下体１を全体にコンパクトに折り畳む。これにより、鞄等内でスペースを取ることなく携帯、又は収納することができる。
【００２８】  使用する場合（例えばトイレ等のドアに取り付ける場合）は、引掛片７を脚片６に対して支軸３ａを介して回動し略直角に位置にし、脚片６を天片２に対して支軸３ａを介して回動し略直角に位置し、その後背片４を天片２に対して支軸３ａを介して略直角に位置することで、吊下体１を組み立てる。この際、引掛片７、脚片６、及び背片４はそれぞれ係止部８、９により確実に略直角の位置で係止する。
【００２９】  この吊下体１をトイレのドアの上辺部に跨ぐように取り付けることで、鞄等を該吊下体１に吊り下げることができる。
【００３０】  このように、本発明の吊下体１はコイパクトに折り畳むことができるので、不使用時（収納する時、携帯する時）にスペースを取ることがない。また、使用時もスムーズに組み立てできるためにその取扱が容易である。
【００３１】  尚、上記実施例においては、鞄等を引掛片７のみで吊り下げたが、本発明の引掛片７のみでの吊り下げるものでなく、例えば、引掛片７に係止片７ａを一定角度Ｃで回動自在、又は固定した状態で設けることで引掛片７よりのズレを調整することも可能である。
【図面の簡単な説明】
【００３２】
【図１】は、本発明の吊下体の一実施例を示しドア等への取り付け状態を示す概略説明側面図である。
【図２】は、吊下体の収納状態を示す概略側面図である。
【図３】は、天片と背片（又は脚片）との連結体を示す概略平面図である。
【図４】は、連結体部分の取り付け状態を示す概略断面図である。
【図５】は、引掛片に設けられた係止片を示す概略側面図である。
【図６】は、引掛片に設けられた係止片の他実施例を示す概略側面図である。
【図７】は、吊下体の収納状態の他実施例を示す概略側面図である。
【図８】は、吊下体の取り付け状態の他実施例を示を示す概略説明側面図である。
【図９】は、天片と背片（又は脚片）との連結の他実施例を示す概略平面図である。
【図１０】は、天片と背片（又は脚片）との連結の他実施例を示す概略平面図である。
【図１１】は、吊下体の第１の従来例を示す概略斜視図である。
【図１２】は、吊下体の第２の従来例を示す概略側面図である。
【符号の説明】
【００３３】１…吊下体
２…天片
４…背片
６…脚片
【図１】
2005253936.tif 000003
【図２】
2005253936.tif 000004
【図３】
2005253936.tif 000005
【図４】
2005253936.tif 000006
【図５】
2005253936.tif 000007
【図６】
2005253936.tif 000008
【図７】
2005253936.tif 000009
【図８】
2005253936.tif 000010
【図９】
2005253936.tif 000011
【図１０】
2005253936.tif 000012
【図１１】
2005253936.tif 000013
【図１２】
2005253936.tif 000014